(57)【要約】【課題】複数のＴ１専用回線をもつ無線システムにおいて、稼働率を損なうことなく無線トラフィック量に応じて段階的にＴ１専用回線を収容可能な基地局と基地局を集約するルータを提供する。【解決手段】ルータは基地局から受信したマルチリンクＰＰＰパケットの回線情報より基地局のマルチリンクグループ番号を取得し、これとルータのマルチリンクグループ番号からＩＰアドレスを自動算出する。さらにルータは自動算出されたＩＰアドレスをルータのＴ１回線に付与するとともに、基地局にＩＰアドレスを通知する。【選択図】図１０
2010016624.tif 000002
【特許請求の範囲】
【請求項１】
移動体端末を収容する無線基地局と、この無線基地局を集約するパケット転送装置とからなる無線通信システムにおいて、
前記無線基地局は、前記移動体端末との間の無線通信パケットを送受信するデータ送受信部と、前記パケット転送装置との第１の接続回線インタフェースとを含み、
前記パケット転送装置は、前記無線基地局との第２の接続回線インタフェースを含み、
前記無線基地局と前記パケット転送装置とは、前記第１の接続回線インタフェースと前記第２の接続回線インタフェースとを介して、それぞれのＩＤとＩＰアドレスとを交換することを特徴とする無線通信システム。
【請求項２】
請求項１に記載の無線通信システムであって、
前記無線基地局と前記パケット転送装置とは、リンク制御プロトコル用いて、それぞれの前記ＩＤを交換することを特徴とする無線通信システム。
【請求項３】
請求項１または請求項２に記載の無線通信システムであって、
前記無線基地局と前記パケット転送装置とは、ネットワーク制御プロトコルを用いて、それぞれの前記ＩＰアドレスを交換することを特徴とする無線通信システム。
【請求項４】
移動体端末と無線接続されたデータ送受信部と、パケット転送装置と有線接続される回線インタフェースとを含む無線基地局において、
前記回線インタフェースは、前記パケット転送装置に接続されたとき、ポートに対応するマルチリンク番号を送信し、前記パケット転送装置から受信した設定要求に記録された第１のＩＰアドレスを対向ＩＰアドレス、否定応答に記録された第２のＩＰアドレスを自ＩＰアドレスとして設定することを特徴とする無線基地局。
【請求項５】
請求項４に記載の無線基地局であって、
前記パケット転送装置とＴ１回線によって有線接続されたことを特徴とする無線基地局。
【請求項６】
無線基地局と有線接続される回線インタフェースを含むパケット転送装置において、
前記回線インタフェースは、前記無線基地局に接続されたとき、ポートに対応する第１のマルチリンク番号を送信し、前記無線基地局から受信した第２のマルチリンク番号と前記第１のマルチリンク番号とから、前記無線基地局のＩＰアドレスと自ＩＰアドレスとを求め、前記無線基地局に両ＩＰアドレスを通知することを特徴とするパケット転送装置。
【請求項７】
請求項６に記載のパケット転送装置であって、
前記無線基地局とＴ１回線によって有線接続されたことを特徴とするパケット転送装置。
【発明の詳細な説明】
【技術分野】
【０００１】
本発明は、無線通信システム、無線基地局およびパケット転送装置に係り、特に無線基地局のバックホール回線にマルチリンクＰＰＰ（Point-to-Point Protocol）を用いた無線通信システム、無線基地局およびパケット転送装置に関する。
【背景技術】
【０００２】
モバイルネットワークにて、端末がアクセスする基地局からＩＰ網へのバックホール回線には、マルチリンクされたＴ１専用回線が使用される。Ｔ１専用回線は、布設範囲が広いため、移動体通信のバックホール回線に適している。さらに、バックホール回線は、Ｔ１専用回線をマルチリンクにすることでチャネルを多重し、データ伝送速度の向上を図っている。
【０００３】
図１ないし図４を参照して、背景技術を説明する。ここで、図１はモバイルネットワークのブロック図である。図２はマルチリンクＰＰＰを用いた基地局、ルータ間のパケット伝送方法を説明する図である。図３はスケーラビリティを備えた基地局を説明するブロック図である。図４は無線容量の拡大を行ったとき、稼働率の低下を招いてしまう状況を説明する図である。
【０００４】
図１を参照して、マルチリンクＰＰＰが適用されたＴ１回線にてルータと接続された基地局と、基地局を集約するルータとを説明する。図１において、モバイルネットワーク８００は、移動端末１０と、２台の基地局２００と、基地局２００を束ねるルータ３００とで構成されている。また、基地局２００は、移動端末１０とのデータを交換するデータ送受信部２１０と、ルータ３００とデータを交換するバックホール回線インタフェース２２０とを有する。ルータ３００は、基地局２０９のバックホール回線インタフェース２２０と、ＩＰデータネットワーク４００と接続された回線インタフェース３１０を有する。
【０００５】
基地局２００とルータ３００とを接続するマルチリンクＰＰＰが適用されたＴ１回線５０−１〜４および５０−５〜８は、同一マルチリンクグループに設定した回線のデータ通信路を束ねて、論理的に１回線とする事で広帯域通信路を確保する。
【０００６】
図２を参照して、マルチリンクＰＰＰを用いた基地局、ルータ間のパケット伝送方法を説明する。図２において、基地局２００は、端末からパケットをＩＰ部２３０で受信すると、ＭＰ部２４０で各リンクの帯域状況に応じてＩＰパケットをフラグメント化し、マルチリンクを構成するＴ１回線５０に振り分けて伝送を行う。受信側のルータ３００は、ＭＰ部３４０でフラグメントが再度組み立ててＩＰパケットを再構成し、ＩＰ部３３０から、ＩＰデータネットワーク４００へ送信する。
【０００７】
モバイルネットワークの構築は、一般的に収容加入者数の増加に合わせて段階的に行なわれる。このため、基地局は、トラフィック量に応じて無線部および有線部の通信路容量を拡大可能とするようなスケーラビリティを備える必要がある。
【０００８】
図３を参照して、スケーラビリティを備えた基地局を説明する。図３において、基地局２００は、データ送受信部２１０のデータ送受信ユニット２１５により、端末と無線通信路上のパケットを送受信し、バックホール回線インタフェース部２２０の持つ回線接続ポート２５０に接続されたマルチリンクグループ５００−１を通じて有線通信路でパケットをバックホール網に伝送する。データ送受信ユニット２１５とマルチリンクグループ５００の組合せはバックホール回線インタフェース部２２０により予め対応付けられている。そのため、通信路容量を拡大するために増設されたデータ送受信ユニット２１５−２は、増設されたマルチリンクグループ５００−２と対応し、他のマルチリンクグループ５００−１を通じて伝送されることはない。
【０００９】
モバイルネットワークにおいて、ある基地局について無線容量の拡大を行ったとき、稼働率の低下を招いてしまう状況について図４を参照して説明する。図４Ａに示す基地局２００−１が備えるＴ１回線接続ポート２６０−１〜３は、ルータ３００−１が備えるＴ１回線接続ポート３６０−１〜３とマルチリンクＰＰＰにより接続されている。ルータ３００−１が備えるＴ１回線接続ポート３６０−４は、図４Ｂに示すようにこの基地局が無線容量拡大のために送受信処理ユニット２１５−２を増設する場合に備えて予約されている。このため、他の基地局２００−２は、Ｔ１回線接続ポート３６０−４を使用することができず、ルータ３００−２を新たに設置し収容しなければならない。結果としてルータ３００−２の持つ他のＴ１回線接続ポート３６０−２〜４は利用することができず、稼働率が低下する。
【００１０】
図４Ｃは、図４Ａおよび図４Ｂと同一の設置条件において２つの基地局を１つのルータに収容した場合を示す図である。すなわち、基地局２００−１のＴ１回線接続ポート２６０−１〜３は、ルータ３００−１のＴ１回線接続ポート３６０−１〜３と接続され、ルータ３００−１の残りのＴ１回線接続ポート３６０−４は、基地局２００−２のＴ１回線接続ポート２６０−１と接続されている。図４Ｄにおいて、Ｔ１回線３本を１マルチリンクグループとしてルータ３００−１に接続する基地局２００−１が送受信処理ユニット２１５−２を増設するには、ルータ３００−１が既に基地局２００−２と接続しているＴ１回線接続ポート３６０−４にＴ１回線５０−４を収容する必要がある。この結果、基地局２００−２を新規に設置するルータ３００−２にＴ１回線を収容先変更することとなり、コストがかかる上、稼働率の低下を招いてしまう。
【００１１】
さてマルチリンクＰＰＰは、異なるプロトコルのデータを伝送することを目的としたものである。マルチリンクＰＰＰは、リンク制御プロトコル（以降ＬＣＰ：Link control Protocol）とネットワーク制御プロトコル（以降ＮＣＰ:Network control protocol）の２つのプロトコルから構成される。特にＩＰ通信において、ＮＣＰの中の１つであるＩＰＣＰ（Internet Protocol Control Protocol）を用いる。ＩＰで２点間のマルチリンクＰＰＰを確立・設定するためには、まずＬＣＰによりリンクの確立を行い、続いてＩＰＣＰによりそれぞれのＩＰアドレスを決定し接続を確立する。このとき使用されるＩＰアドレスの決定にはいくつかの選出方法が考えられる。一般的には、同時接続数を考慮して用意されたＩＰアドレス群から適当なＩＰアドレスを選出し設定する。
【発明の開示】
【発明が解決しようとする課題】
【００１２】
近年、移動体においても音声通話だけでなく音楽や動画等の大容量コンテンツを扱われるようになっている。この結果、移動体におけるデータ通信に対する需要はますます高まっている。それに伴い、モバイルネットワークにおけるデータレートおよびトラフィックに対する要求はますます厳しくなっている。さらに、無線容量のみならず基地局を収容するバックホール側のトラフィック量も、拡大し続けている。
【００１３】
モバイルネットワークの構築において、基地局、バックホール回線、およびネットワーク装置をトラフィック量に応じて段階的に増強を行う。無線容量の拡大に備え、基地局を集約するためのルータは予め用意しておく必要がある。しかし、投資効率の観点からこのようなルータは基地局数を収容できる最小限に抑え、稼働率を高く保つことが望ましい。
【００１４】
モバイルネットワークにおいても、ある基地局について無線容量の拡大を行ったとき、その基地局の収容先ルータのＴ１専用回線がすべて使用されていた場合には、収容先ルータに収容されている他の基地局のＴ１専用回線を他のルータに収容先の変更を行わなければならない。しかし、Ｔ１専用回線の敷設・収容先変更にはコストがかかる上、収容先を変更している間はそのＴ１専用回線は使用できないため、稼働率の低下を招いてしまう。
【００１５】
稼働率の低下を回避するため、基地局についてマルチリンクＰＰＰが適用されたＴ１専用回線を複数のルータに分割して収容することが必要となる。しかし、一般的にはモバイルネットワーク内のマルチリンクＰＰＰグループ数と同じ数のＩＰアドレスが必要となってしまう。このため、ＩＰアドレスの有限性から実現は困難である。
【００１６】
本発明ではこの問題を解決するため、パケット転送装置が無線基地局に提供するＩＰアドレスについて、無線基地局とパケット転送装置とを接続する有線回線からパケット転送装置により算出し、ＰＰＰにより設定する。これにより、マルチリンクＰＰＰが適用された優先回線を複数のパケット転送装置に分割して収容することができる。その結果、稼働率を損なうことなく無線容量の増設をすることができる。
【課題を解決するための手段】
【００１７】
上述した課題は、移動体端末を収容する無線基地局と、この無線基地局を集約するパケット転送装置とからなり、無線基地局は、移動体端末との間の無線通信パケットを送受信するデータ送受信部と、パケット転送装置との第１の接続回線インタフェースとを含み、パケット転送装置は、無線基地局との第２の接続回線インタフェースを含み、無線基地局とパケット転送装置とは、第１の接続回線インタフェースと第２の接続回線インタフェースとを介して、それぞれのＩＤとＩＰアドレスとを交換する無線通信システムにより、解決できる。
【００１８】
また、移動体端末と無線接続されたデータ送受信部と、パケット転送装置と有線接続される回線インタフェースとを含み、回線インタフェースは、パケット転送装置に接続されたとき、ポートに対応するマルチリンク番号を送信し、パケット転送装置から受信した設定要求に記録された第１のＩＰアドレスを対向ＩＰアドレス、否定応答に記録された第２のＩＰアドレスを自ＩＰアドレスとして設定する無線基地局により解決できる。
【００１９】
さらに、無線基地局と有線接続される回線インタフェースを含み、回線インタフェースは、無線基地局に接続されたとき、ポートに対応する第１のマルチリンク番号を送信し、無線基地局から受信した第２のマルチリンク番号と第１のマルチリンク番号とから、無線基地局のＩＰアドレスと自ＩＰアドレスとを求め、無線基地局に両ＩＰアドレスを通知するパケット転送装置により解決できる。
【発明の効果】
【００２０】
モバイルネットワークにて、無線基地局の有線回線を複数のパケット転送装置に分割して収容することができる。
【発明を実施するための最良の形態】
【００２１】
以下、本発明の実施形態について、実施例を参照しながら図面を用いて説明する。なお、実質同一部位には同じ参照番号を振り、説明は繰り返さない。また、パケット転送装置として、ルータを用いて説明する。
【００２２】
まず、図５および図６を参照して、ＬＣＰパケットとＩＰＣＰパケットのフォーマットを説明する。ここで、図５はＬＣＰ設定要求パケットおよびＬＣＰ設定要求応答パケットのフォーマットである。図６はＩＰＣＰのＩＰアドレス設定要求パケットおよび肯定／否定応答パケットのファーマットである。
【００２３】
図５において、ＬＣＰパケット６０は、先頭から順に２バイトのプロトコル６１、１バイトのコード６２、１バイトの識別子６３、２バイトのパケット長６４、１バイトの種別６５、１バイトのデータグラム長６６、１バイトのクラス６７、１バイトのアドレス６８で構成される。プロトコル６１は、ＬＣＰのプロトコル番号である０ｘＣ０２１がセットされる。コード６２は、設定要求のとき０ｘ０１、肯定設定応答のとき０ｘ０２、否定設定応答のとき０ｘ０３を設定される。識別子６３は、パケットの固有番号が設定される。パケット長６４は、ＬＣＰパケットの全長を格納する。種別６５は、設定要求または応答の種別である０ｘ１３を格納する。データグラム長６６は、種別６５〜アドレス６８の合計データ長を格納する。クラス６７は、使用するアドレスのクラスを設定する。アドレス６８は、マルチリンクＰＰＰ番号を格納する。
【００２４】
図６において、ＩＰＣＰパケット７０は、先頭から順に２バイトのプロトコル７１、１バイトのコード７２、１バイトの識別子７３、２バイトのパケット長７４、１バイトの種別７５、１バイトのデータグラム長７６、２バイトの上位ＩＰアドレス７７、２バイトの下位ＩＰアドレス７８で構成される。プロトコル７１は、ＩＰＣＰのプロトコル番号である０ｘ８０２１がセットされる。コード７２は、設定要求のとき０ｘ０１、肯定設定応答のとき０ｘ０２、否定設定応答のとき０ｘ０３を設定される。識別子７３は、パケットの固有番号が設定される。パケット長７４は、ＩＰＣＰパケットの全長を格納する。種別７５は、設定要求または応答の種別であるＩＰアドレス設定の０ｘ０３を格納する。データグラム長７６は、種別７５〜下位ＩＰアドレス７８の合計データ長を格納する。上位ＩＰアドレス７７は、使用するＩＰアドレス上位のＩＰアドレスを格納する。下位ＩＰアドレス７８は、使用するＩＰアドレス下位のＩＰアドレスを格納する。
【００２５】
図７を参照して、基地局のバックホール回線Ｉ／Ｆ部とルータのバックホール回線Ｉ／Ｆ部の詳細な構成を説明する。ここで、図７は基地局のバックホール回線Ｉ／Ｆ部とルータのバックホール回線Ｉ／Ｆ部のブロック図である。
【００２６】
図７において、基地局側バックホール回線Ｉ／Ｆ部２２０Ａは、ＩＰ部２３０、ＭＬＰＰＰ部２４０、接続管理部２５０から構成される。ＭＬＰＰＰ部２４０は、パケット送信部２４１、パケット受信部２４６から構成される。接続管理部２５０は、ＬＣＰ・ＩＰＣＰ解析部２５１、ＩＰアドレス設定部２５３、ＬＣＰ・ＩＰＣＰ生成部２５５から構成される。
【００２７】
一方、ルータ側バックホール回線Ｉ／Ｆ部３１０Ａは、ＩＰ部３３０、ＭＬＰＰＰ部３４０、接続管理部３５０から構成される。ＭＬＰＰＰ部３４０は、パケット送信部３４１、パケット受信部３４６から構成される。接続管理部３５０は、ＬＣＰ・ＩＰＣＰ解析部３５１、ＩＰアドレス算出設定部３５３、ＬＣＰ・ＩＰＣＰ生成部３５５、参照データベース３５７から構成される。
【００２８】
ＬＣＰ・ＩＰＣＰ解析部２５１は、受信したマルチリンクＰＰＰ制御パケットを解析する。ＬＣＰ・ＩＰＣＰ解析部２５１は、ＬＣＰによるＬＣＰ設定（マルチリンクエンドポイント識別子）要求パケットを受け付けたとき、ＬＣＰ・ＩＰＣＰ生成部２５５に引き渡す。ＬＣＰ・ＩＰＣＰ解析部２５１は、ＩＰＣＰによるＩＰアドレス設定要求パケットを受け付けたとき、ＩＰアドレス設定部２５３にＩＰアドレスを引き渡す。
【００２９】
ＩＰアドレス設定部２５３は、ＭＬＰＰＰ部２４０へのＩＰアドレス設定部である。ＩＰアドレス設定部２５３は、ＬＣＰ・ＩＰＣＰ解析部２５１から渡されたＩＰアドレスが基地局のＩＰアドレスであったとき、基地局のマルチリンクグループに設定する。一方、ＩＰアドレス設定部２５３は、ルータのＩＰアドレスであったとき、対向側のＩＰアドレスとして設定する。
【００３０】
ＬＣＰ・ＩＰＣＰ生成部２５５は、マルチリンクＰＰＰ制御パケットを生成する。マルチリンクＰＰＰの接続確立時には、ＬＣＰ設定（マルチリンクエンドポイント識別子）要求パケットのクラス６７にローカル割当てアドレス（０ｘ０１）、アドレス６８に接続するマルチリンクグループ番号を設定し、ルータのバックホール回線Ｉ／Ｆ部３１０Ａに送出する。ＬＣＰ・ＩＰＣＰ解析部２５１からＬＣＰ設定（マルチリンクエンドポイント識別子）要求パケットを引き渡された場合には、肯定応答パケットをルータのバックホール回線Ｉ／Ｆ部３１０Ａに送出する。
【００３１】
パケット送信部２４１は、ＬＣＰ・ＩＰＣＰ生成部２５５およびＩＰレイヤから伝送されてきたＭＬＰＰＰパケットをルータ側バックホール回線Ｉ／Ｆ部３１０Ａに送出する。  パケット受信部２４６は、パケット送信部３４１から伝送されてくるＭＬＰＰＰパケットを受信する。パケット送信部３４１は、ＬＣＰ・ＩＰＣＰ生成部３５５およびＩＰレイヤから伝送されてきたＭＬＰＰＰパケットを基地局のバックホール回線Ｉ／Ｆ部２２０Ａに送出する。パケット受信部３４６は、基地局のバックホール回線Ｉ／Ｆ部２２０Ａから伝送されてくるＭＬＰＰＰパケットを受信する。
【００３２】
ＬＣＰ・ＩＰＣＰ解析部３５１は、マルチリンクＰＰＰ制御パケットを解析する。ＬＣＰ・ＩＰＣＰ解析部３５１は、パケット受信部３４６から送信されたＬＣＰ・ＩＰＣＰパケットの解析を行い、ＬＣＰによるＬＣＰ設定（マルチリンクエンドポイント識別子）要求パケットを受け付けた場合、ＩＰアドレス算出設定部３５３に引き渡す。
【００３３】
ＩＰアドレス算出設定部３５３は、ＭＬＰＰＰに付与するＩＰアドレス算出し、設定する。ＩＰアドレス算出設定部３５３は、ＬＣＰ・ＩＰＣＰ解析部３５１からＬＣＰ設定（マルチリンクエンドポイント識別子）要求パケットを引き渡された場合、ＬＣＰパケットのアドレス６８を参照することで基地局のマルチリンクグループ番号を取得し、ルータのマルチリンクグループ番号との組合せをキーにして参照データベース３５７からＭＬＰＰＰに付与するＩＰアドレスのペアを取り出す。ＩＰアドレス算出設定部３５３は、同時に取り出したＩＰアドレスを設定する。
【００３４】
参照データベース３５７は、ＭＬＰＰＰに付与するＩＰアドレスを管理するテーブルを保持する。参照データベース３５７は、基地局とルータのマルチリンクグループ番号の全ての組合せに対応したＩＰアドレスを重複無く保持する。ＬＣＰ・ＩＰＣＰ生成部３５５は、マルチリンクＰＰＰ制御パケットを生成する。マルチリンクＰＰＰの接続確立時に、ＬＣＰ・ＩＰＣＰ生成部３５５は、ＩＰＣＰによるＩＰアドレス設定要求パケットの上位ＩＰアドレス・下位ＩＰアドレス領域にＩＰアドレス算出設定部３５３から与えられた基地局のＩＰアドレスを設定し、基地局のバックホール回線Ｉ／Ｆ部２２０Ａに送出する。
【００３５】
図８を参照して、参照データベースを説明する。ここで、図８は参照データベースを説明する図である。参照データベース３５７は、入力である基地局のＭＬＰＰＰ番号３５７１とルータのＭＬＰＰＰ番号３５７２、出力である端末のＩＰアドレス３５７３とルータのＩＰアドレス３５７４とを対応付けて構成される。
【００３６】
図９を参照して、基地局のバックホール回線Ｉ／Ｆ部とルータのバックホール回線Ｉ／Ｆ部との間のＩＰアドレス設定の処理を説明する。ここで、図９は基地局のバックホール回線Ｉ／Ｆ部とルータのバックホール回線Ｉ／Ｆ部との間のＩＰアドレス設定のシーケンス図である。
【００３７】
図９において、ルータのバックホール回線Ｉ／Ｆ部３１０Ａは、基地局のバックホール回線Ｉ／Ｆ部２２０Ａに、ＬＣＰ設定要求を送信する（Ｓ９０１）。このとき、ＬＣＰ設定要求のアドレス６８は、ルータで付与されたマルチリンク番号とする。同様に、基地局のバックホール回線Ｉ／Ｆ部２２０Ａは、ルータのバックホール回線Ｉ／Ｆ部３１０Ａに、ＬＣＰ設定要求を送信する（Ｓ９０２）。このとき、ＬＣＰ設定要求のアドレス６８は基地局で付与されたマルチリンク番号とする。
【００３８】
ルータのバックホール回線Ｉ／Ｆ部３１０Ａは、ＩＰアドレスを算出する（Ｓ９０３）。具体的には、ステップ９０２で受信したＬＣＰ設定要求パケットから得た基地局で付与されたマルチリンク番号と、ルータのバックホール回線Ｉ／Ｆ部３１０Ａが保持するルータで付与したマルチリンク番号を入力として、図８の参照データベース３５７から、マルチリンクＰＰＰに設定される基地局およびルータのＩＰアドレスを算出する。
【００３９】
ルータのバックホール回線Ｉ／Ｆ部３１０Ａは、基地局のバックホール回線Ｉ／Ｆ部２２０Ａに、ＬＣＰ設定要求に対する肯定応答を送信する（Ｓ９０４）。同様に、基地局のバックホール回線Ｉ／Ｆ部２２０Ａは、ルータのバックホール回線Ｉ／Ｆ部３１０Ａに、ＬＣＰ設定要求に対する肯定応答を送信する（Ｓ９０５）。これによって、基地局のバックホール回線Ｉ／Ｆ部２２０Ａとルータのバックホール回線Ｉ／Ｆ部３１０Ａとの間でＰＰＰコネクションが確立される。
【００４０】
ルータのバックホール回線Ｉ／Ｆ部３１０Ａは、基地局のバックホール回線Ｉ／Ｆ部２２０Ａに、ＩＰアドレス設定要求を送信する（Ｓ９０６）。ここで、ＩＰアドレス設定要求の上位ＩＰアドレス７７、下位ＩＰアドレス７８は、ステップ９０３で算出したルータに設定されるＩＰアドレスとする。同様に、基地局のバックホール回線Ｉ／Ｆ部２２０Ａは、ルータのバックホール回線Ｉ／Ｆ部３１０Ａに、ＩＰアドレス設定要求を送信する（Ｓ９０７）。ここで、ＩＰアドレス設定要求の上位ＩＰアドレス７７、下位ＩＰアドレス７８は、ダミー値である。
【００４１】
ルータのバックホール回線Ｉ／Ｆ部３１０Ａは、基地局のバックホール回線Ｉ／Ｆ部２２０Ａに、ＩＰアドレス設定要求に対する否定応答を送信する（Ｓ９０８）。ここで、否定応答の上位ＩＰアドレス７７、下位ＩＰアドレス７８は、ステップ９０３で算出した基地局に設定されるＩＰアドレスである。ＩＰアドレス算出処理をルータにのみ実装すれば良いようにするため、ルータのバックホール回線Ｉ／Ｆ部３１０Ａは、基地局のＩＰアドレス設定要求を一旦否定応答で返し、その際に基地局のＩＰアドレスを与える。
【００４２】
基地局のバックホール回線Ｉ／Ｆ部２２０Ａは、ルータのバックホール回線Ｉ／Ｆ部３１０Ａに、ＩＰアドレス設定要求に対する肯定応答を送信する（Ｓ９０９）。
【００４３】
さらに、基地局のバックホール回線Ｉ／Ｆ部２２０Ａは、ルータのバックホール回線Ｉ／Ｆ部３１０Ａに、ステップ９０６のＩＰアドレス設定要求に対する肯定応答を送信する（Ｓ９１０）。基地局のバックホール回線Ｉ／Ｆ部２２０Ａおよびルータのバックホール回線Ｉ／Ｆ部３１０Ａは、それぞれマルチリンクＰＰＰにＩＰアドレスを設定する（Ｓ９１１、Ｓ９１２）。
【００４４】
図１０を参照して、モバイルネットワーク構成を説明する。ここで、図１０はモバイルネットワークのブロック図である。モバイルネットワーク９００は、無線端末１０と、２台の基地局２００Ａと、ルータ３００Ａ−１と、ＩＰデータネットワーク４００とから構成される。ここで、トラフィックの増加によって、ルータ３００Ａ−２と、基地局２００Ａ−１のデータ送受信ユニット２１５−２とが増設したとしよう。ただし、既存のルータ３００Ａ−１の入出力ポート３６０は、マルチリンクグループ５００−１と、５００−２とで占有されている。したがって、基地局２００Ａ−１のデータ送受信ユニット２１５−２のマルチリンクグループ５００−３は、新たに設置されるルータ３００Ａ−２に接続する必要がある。
【００４５】
上述した機能ブロックおよび処理手順において、データ送受信ユニット２１５−２を増設した基地局２００Ａ−１は、ルータ３００Ａ−２との間にマルチリンクグループ５００−３で接続することができる。なお、マルチリンググループ５００は、１本のＴ１回線５０に対する場合もある。
【００４６】
図１１と図１２を参照して、バックホール回線Ｉ／Ｆを説明する。ここで、図１１は基地局のバックホール回線Ｉ／Ｆのハードウェアブロック図である。図１２はルータのバックホール回線Ｉ／Ｆのハードウェアブロック図である。
【００４７】
図１１において、基地局のバックホール回線Ｉ／Ｆ部２２０Ａは、データ送受信部と接続されたデータ送受信部Ｉ／Ｆ２２１と、プロセッサ２２３と、メモリ２２５と、ルータのバックホール回線Ｉ／Ｆ部３１０Ａと接続されたＴ１ Ｉ／Ｆ２２７とから構成される。
【００４８】
図１２において、ルータのバックホール回線Ｉ／Ｆ部３１０Ａは、基地局のバックホール回線Ｉ／Ｆ部２２０Ａと接続されたＴ１ Ｉ／Ｆ３１７と、プロセッサ３１３と、メモリ３１５と、ＩＰネットワークＩ／Ｆ部と接続されたイーサＩ／Ｆ３１１とから構成される。
【００４９】
本実施例に拠れば、携帯電話基地局のバックホール回線にマルチリンクＰＰＰを用いたＴ１専用回線を利用したモバイルネットワークにて、基地局のＴ１専用回線を複数のルータに分割して収容することができる。その結果、モバイルネットワーク上で基地局と基地局を集約するルータをトラフィック量に応じて稼働率の損失無く段階的に増設することができる。
【図面の簡単な説明】
【００５０】
【図１】モバイルネットワークのブロック図である。
【図２】マルチリンクＰＰＰを用いた基地局、ルータ間のパケット伝送方法を説明する図である。
【図３】スケーラビリティを備えた基地局を説明するブロック図である。
【図４Ａ】無線容量の拡大を行ったとき、稼働率の低下を招いてしまう状況を説明する図である（その１）。
【図４Ｂ】無線容量の拡大を行ったとき、稼働率の低下を招いてしまう状況を説明する図である（その２）。
【図４Ｃ】無線容量の拡大を行ったとき、稼働率の低下を招いてしまう状況を説明する図である（その３）。
【図４Ｄ】無線容量の拡大を行ったとき、稼働率の低下を招いてしまう状況を説明する図である（その４）。
【図５】ＬＣＰ設定要求パケットおよびＬＣＰ設定要求応答パケットのフォーマットである。
【図６】ＩＰＣＰのＩＰアドレス設定要求パケットおよび肯定／否定応答パケットのファーマットである。
【図７】基地局のバックホール回線Ｉ／Ｆ部とルータのバックホール回線Ｉ／Ｆ部のブロック図である。
【図８】参照データベースを説明する図である。
【図９】基地局のバックホール回線Ｉ／Ｆ部とルータのバックホール回線Ｉ／Ｆ部との間のＩＰアドレス設定のシーケンス図である。
【図１０】モバイルネットワークのブロック図である。
【図１１】基地局のバックホール回線Ｉ／Ｆのハードウェアブロック図である。
【図１２】ルータのバックホール回線Ｉ／Ｆのハードウェアブロック図である。
【符号の説明】
【００５１】
５０…Ｔ１回線、６０…ＬＣＰパケット、７０…ＩＰＣＰパケット、２００…基地局、２１０…データ送受信部、２１５…データ送受信ユニット、２２０…バックホール回線Ｉ／Ｆ部、２２１…データ送受信部Ｉ／Ｆ、２２３…プロセッサ、２２５…メモリ、２２７…Ｔ１ Ｉ／Ｆ、２３０…ＩＰ、２４０…ＭＬＰＰＰ、２４１…パケット送信部、２４６…パケット受信部、２５０…接続管理部、２５１…ＬＣＰ・ＩＰＣＰ解析部、２５３…ＩＰアドレス設定部、２５５…ＬＣＰ・ＩＰＣＰ生成部、３００…ルータ、３１０…バックホール回線Ｉ／Ｆ部、３１１…イーサＩ／Ｆ、３１３…プロセッサ、３１５…メモリ、３１７…Ｔ１ Ｉ／Ｆ、３２０…、３３０…ＩＰネットワークＩ／Ｆ部、３４０…ＭＬＰＰＰ、３４１…パケット送信部、３４６…パケット受信部、３５０…接続管理部、３５１…ＬＣＰ・ＩＰＣＰ解析部、３５３…ＩＰアドレス設定部、３５５…ＬＣＰ・ＩＰＣＰ生成部、３５７…参照データベース、４００…ＩＰデータネットワーク、８００…モバイルネットワーク、９００…モバイルネットワーク。
【図１】
2010016624.tif 000003
【図２】
2010016624.tif 000004
【図３】
2010016624.tif 000005
【図４Ａ】
2010016624.tif 000006
【図４Ｂ】
2010016624.tif 000007
【図４Ｃ】
2010016624.tif 000008
【図４Ｄ】
2010016624.tif 000009
【図５】
2010016624.tif 000010
【図６】
2010016624.tif 000011
【図７】
2010016624.tif 000012
【図８】
2010016624.tif 000013
【図９】
2010016624.tif 000014
【図１０】
2010016624.tif 000015
【図１１】
2010016624.tif 000016
【図１２】
2010016624.tif 000017